(57)【特許請求の範囲】
【請求項１】
光吸収層の表側に積層され、画像光を構成する異なる色光をそれぞれ反射可能な複数のコレステリック液晶層と、
前記各コレステリック液晶層における前記色光の反射および透過を切り換え可能な切換手段と、
前記各切換手段を時間順次に駆動させるタイミングコントローラと、
を有し、画像光を構成する異なる色光を、それぞれ時間順次に反射することを特徴とするスクリーン。
【請求項２】
前記切換手段は、前記コレステリック液晶層に電界を印加する一対の導電体を有することを特徴とする請求項１に記載のスクリーン。
【請求項３】
前記切換手段は、
前記コレステリック液晶層の入光側に配置され、電界印加の有無により入射する円偏光の回転方向を切換可能な電気光学物質と、
前記電気光学物質に電界を印加する一対の導電体と、を有することを特徴とする請求項１に記載のスクリーン。
【請求項４】
請求項１ないし請求項３のいずれかに記載のスクリーンと、
前記スクリーンに向かって、画像光を構成する異なる色光を時間順次に投射するプロジェクタと、
前記スクリーンおよび前記プロジェクタを同期して時間順次に駆動させるタイミングコントローラと、を有することを特徴とするプロジェクタシステム。
【請求項５】
前記プロジェクタは、異なる色光を時間順次に発光する光源と、前記光源からの各色光を時間順次に変調する光変調手段とを有し、
前記タイミングコントローラは、前記光源および前記光変調手段を同期して時間順次に駆動させることを特徴とする請求項４に記載のプロジェクタシステム。
【請求項６】
前記プロジェクタは、円偏光を投射することを特徴とする請求項４または請求項５に記載のプロジェクタシステム。
【請求項７】
前記プロジェクタは、固体光源を有することを特徴とする請求項４ないし請求項５のいずれかに記載のプロジェクタシステム。
【請求項８】
請求項１から請求項３のいずれかに記載のスクリーンに対して画像を表示するプロジェクタシステムの画像表示方法であって、
画像光を構成する異なる色光を時間順次にプロジェクタから投射し、
前記プロジェクタに同期して、前記プロジェクタから投射された異なる色光を時間順次に前記スクリーンで反射することにより、
前記スクリーンにカラー画像を表示することを特徴とするプロジェクタシステムの画像表示方法。
【発明の詳細な説明】
【技術分野】
【０００１】
本発明は、スクリーン、プロジェクタシステムおよびプロジェクタシステムの画像表示方法に関するものである。
【背景技術】
【０００２】
プロジェクタから投射された画像光を反射表示する反射型スクリーンを備えた、フロント型（前面投射型）プロジェクタシステムが知られている。そのプロジェクタは、３原色の画像光を加法混色して投射するものである。また反射型スクリーンは、投射された画像光を反射してカラー画像表示を行うものである。
【０００３】
特許文献１および特許文献２には、反射型スクリーンの発明が記載されている。これは、反射型スクリーンにおいて画像光の加法混色に必要な３原色の色光のみを反射し、それ以外の色光を吸収するものである。これにより、有彩色のコントラストに優れ、明るい室内でも天然色映像の映出が可能になるとされている。
【特許文献１】特開平５−２１６１２３
【特許文献２】特開平６−２８９４９１号公報
【発明の開示】
【発明が解決しようとする課題】
【０００４】
しかしながら、特許文献１および特許文献２に記載のスクリーンは、画像光の加法混色に必要な３原色の色光を同時に反射して画像表示を行うものである。この場合、外光に含まれる３原色の色光も同時に反射することになる。したがって、明るい環境でスクリーンを使用する場合には、表示画像が外光の影響を受けることになり、コントラストの向上に限界があるという問題がある。
【０００５】
本発明は、上記課題を解決するためになされたものであり、明るい環境でも高コントラストの画像表示を行うことが可能なスクリーン、プロジェクタシステムおよびプロジェクタシステムの画像表示方法の提供を目的とする。
【課題を解決するための手段】
【０００６】
上記目的を達成するため、本発明のスクリーンは、光吸収層の表側に積層され、画像光を構成する異なる色光をそれぞれ反射可能な複数のコレステリック液晶層と、前記各コレステリック液晶層における前記色光の反射および透過を切り換え可能な切換手段と、前記各切換手段を時間順次に駆動させるタイミングコントローラと、を有し、画像光を構成する異なる色光を、それぞれ時間順次に反射することを特徴とする。
この構成によれば、異なる色光を時間順次に反射するので、外光に含まれる色光のうち反射される色光を制限することができる。したがって、外光の影響を受け難くなり、明るい環境でも高コントラストの画像表示を行うことができる。
【０００７】
この場合には、簡単な構成により異なる色光を時間順次に反射することができる。なお、外光に含まれる色光には右回り円偏光や左回り円偏光等が混在しているが、コレステリック液晶層はいずれか一方の円偏光のみを反射する。したがって、外光に含まれる色光のうち反射される色光をより制限することが可能になり、明るい環境でも高コントラストの画像表示を行うことができる。
【０００８】
なお、前記切換手段は、前記コレステリック液晶層に電界を印加する一対の導電体を有する構成としてもよい。
この場合には、コレステリック液晶層に入射する色光の反射および透過を、簡単な構成によって切り換えることが可能になる。
【０００９】
また、前記切換手段は、前記コレステリック液晶層の光入射側に配置され、電界印加の有無により入射する円偏光の回転方向を切換可能な電気光学物質と、前記電気光学物質に電界を印加する一対の導電体と、を有する構成としてもよい。
この構成によれば、電界を印加しない状態で入射光を透過させ、電界を印加した状態で入射光を反射させることができる。したがって、電力消費量を低減することができる。
【００１０】
一方、本発明のプロジェクタシステムは、上述したスクリーンと、前記スクリーンに向かって、画像光を構成する異なる色光を時間順次に投射するプロジェクタと、前記スクリーンおよび前記プロジェクタを同期して時間順次に駆動させるタイミングコントローラと、を有することを特徴とする。
この構成によれば、画像光を構成する異なる色光を時間順次に表示することができるので、加法混色によりカラー画像を表示することができる。また、外光に含まれる色光のうちスクリーンで反射される色光が制限されるので、明るい環境でも高コントラストの画像表示を行うことができる。
【００１１】
また、前記プロジェクタは、異なる色光を時間順次に発光する光源と、前記光源からの各色光を時間順次に変調する光変調手段とを有し、前記タイミングコントローラは、前記光源および前記光変調手段を同期して時間順次に駆動させることが望ましい。
この構成によれば、１個の光変調手段により異なる色光を時間順次に投射することができるので、プロジェクタシステムの製造コストを低減することができる。
【００１２】
また、前記プロジェクタは、円偏光を投射することが望ましい。
この構成によれば、円偏光を反射するコレステリック液晶層をスクリーンに採用することができるので、外光に含まれる色光のうちスクリーンで反射される色光をより制限することが可能になる。したがって、明るい環境でも高コントラストの画像表示を行うことができる。
【００１３】
また、前記プロジェクタは、固体光源を有することが望ましい。
固体光源は発光波長幅が狭いので、スクリーンの反射波長幅を狭くすることができる。これにより、外光に含まれる色光のうち、スクリーンで反射される色光をより制限することができる。したがって、外光の影響を受け難くなり、明るい環境でも高コントラストの画像表示を行うことができる。
【００１４】
一方、本発明のプロジェクタシステムの画像表示方法は、画像光を構成する異なる色光を時間順次にプロジェクタから投射し、前記プロジェクタに同期して、前記プロジェクタから投射された異なる色光を時間順次にスクリーンで反射することにより、前記スクリーンにカラー画像を表示することを特徴とする。
この構成によれば、画像光を構成する異なる色光を時間順次に表示することができるので、加法混色によりカラー画像を表示することができる。また、外光に含まれる色光のうちスクリーンで反射される色光が制限されるので、明るい環境でも高コントラストの画像表示を行うことができる。
【発明を実施するための最良の形態】
【００１５】
以下、本発明の実施形態につき、図面を参照して説明する。なお、以下の説明に用いる各図面では、各部材を認識可能な大きさとするため、各部材の縮尺を適宜変更している。なお本明細書では、各部材における画像光の入射側を表と呼び、その反対側を裏と呼ぶことにする。また液晶パネルについては、構成部材における液晶層側を内と呼ぶことにする。
【００１６】
［第１実施形態］
最初に、本発明の第１実施形態につき、図１ないし図５を用いて説明する。図１は、第１実施形態のプロジェクタシステムの概略構成図である。図１のプロジェクタシステム１は、異なる色光の画像光を時間順次に投射するプロジェクタ３０と、投射された各色光の画像光を時間順次に反射するスクリーン１０とを備え、フィールドシーケンシャルにカラー画像を表示するものである。そのスクリーン１０は、各色光をそれぞれ反射可能な複数のコレステリック液晶パネル１０Ｂ，１０Ｇ，１０Ｒを、光吸収層１０ａの表面に積層して構成されている。
【００１７】
［スクリーン］
図２は、コレステリック液晶パネルの側面断面図である。なお図２では、青色光を反射可能な液晶パネル１０Ｂを例にして説明する。このコレステリック液晶パネル（以下、単に液晶パネルと呼ぶ）１０Ｂは、表基板１１と裏基板１２との間に、コレステリック液晶からなる液晶層１８Ｂを挟持して構成されている。
【００１８】
表基板１１は、ガラスやプラスチックフィルム等の光透過性材料によって構成されている。表基板１１の内面には、ＩＴＯ等の光透過性を有する導電性材料からなる透明電極１３が形成されている。なお透明電極１３は、表基板１１の内面のほぼ全体に形成されている。また、透明電極１３の内面には、コレステリック液晶分子の配向膜１５が形成されている。この配向膜１５として、ポリイミド等の薄膜の表面にラビング処理を施したものを採用することができる。一方、裏基板１２の内面にも同様に、透明電極１４および配向膜１６が形成されている。
【００１９】
そして、表基板１１と裏基板１２との間に、コレステリック液晶からなる液晶層１８Ｂが挟持されている。コレステリック液晶は、液晶分子が積層方向にらせん状に配向する液晶である。このコレステリック液晶は、らせんピッチと同波長の色光を反射する性質を有する。そこで、らせんピッチが４５０ｎｍ程度のコレステリック液晶を採用することにより、青色光を反射することが可能になる。なお、各基板１１，１２の間の周縁部にはシール材（不図示）が塗布され、その内側にコレステリック液晶層１８Ｂが封止されている。
【００２０】
以上のように構成された液晶パネル１０Ｂにおいて、コレステリック液晶層１８Ｂに電界を印加しない状態（ＯＦＦ状態）では、コレステリック液晶層１８Ｂがらせん配向状態を維持する。そのため、液晶パネル１０Ｂの表面から入射した青色光は、コレステリック液晶層１８Ｂで反射されることになる。一方、透明電極１３，１４によってコレステリック液晶層１８Ｂに電界を印加した状態（ＯＮ状態）では、電界に沿って液晶分子が垂直に再配向し、らせん配向状態が崩される。そのため、液晶パネル１０Ｂの表面から入射した青色光は、コレステリック液晶層１８Ｂを透過する。このように、第１実施形態の液晶パネルでは、電界を印加しない状態で反射モードとなり、電界を印加した状態で透過モードとなる。
【００２１】
図１に示すスクリーン１０では、上述した液晶パネル１０Ｂと同様に、緑色光を反射可能な液晶パネル１０Ｇおよび赤色光を反射可能な液晶パネル１０Ｒが形成されている。なお、液晶パネル１０Ｇでは、らせんピッチが５５０ｎｍ程度のコレステリック液晶が採用され、液晶パネル１０Ｒでは、らせんピッチが６００ｎｍ程度のコレステリック液晶が採用されている。そして、各液晶パネル１０Ｂ，１０Ｇ，１０Ｒが光吸収層１０ａの表面に積層されて、スクリーン１０が構成されている。光吸収層１０ａは、すべての液晶パネルを透過した色光を吸収するものである。その光吸収層１０ａは、光吸収性に優れた黒色の金属材料等によって構成することが可能である。
【００２２】
また、各液晶パネル１０Ｂ，１０Ｇ，１０Ｒは、駆動電源５６に接続されている。この駆動電源５６は、各液晶パネルの透明電極を介して、コレステリック液晶層に電界を印加するものである。
【００２３】
［プロジェクタシステム］
一方、図１に示すプロジェクタシステム１では、上述したスクリーン１０に対向して、プロジェクタ３０が配置されている。このプロジェクタ３０は、異なる色光の画像光を時間順次に投射するものである。
【００２４】
プロジェクタ３０の光源として、固体光源であるＬＥＤ光源３２Ｒ，３２Ｇ，３２Ｂが採用されている。ＬＥＤは、ｐｎ接合部に電流が流れると発光するダイオードであり、高速応答性に優れている。青色光および緑色光を発光するＬＥＤは、サファイヤ（Ａｌ２Ｏ３）等の基板の表面に、ＧａＩｎＮ系の化合物半導体結晶を成長させることによって形成されている。また、赤色光を発光するＬＥＤは、ガリウムヒ素（ＧａＡｓ）等の基板上に、ＡｌＧａＩｎＰ系の化合物半導体結晶を成長させることによって形成されている。
また、各ＬＥＤ光源３２Ｒ，３２Ｇ，３２Ｂは、駆動電源５２に接続されている。この駆動電源５２は、各ＬＥＤ光源に電流を供給するものである。
【００２５】
各ＬＥＤ光源３２Ｒ，３２Ｇ，３２Ｂは、クロスダイクロイックプリズム３４の３辺に対向して配置されている。このプリズム３４は、４つの直角プリズムの貼り合わせ面に、赤色光を反射する誘電体多層膜と、青色光を反射する誘電体多層膜とを配置したものである。これらの誘電体多層膜により、各ＬＥＤ光源から出射された光源光を、プリズム３４の残る１辺から出射しうるようになっている。なお、各ＬＥＤ光源とプリズム３４との間に、集光レンズ等を配置してもよい。
【００２６】
そのプリズム３４の残る１辺に対向して、光変調手段である液晶ライトバルブ３６が配置されている。液晶ライトバルブ３６は、各ＬＥＤ光源からの色光を変調して画像光を作製するものである。そのため、液晶ライトバルブ３６は、マトリクス状に配置された画素と、各画素を駆動するスイッチング素子とを備えている。さらに、液晶ライトバルブ３６は駆動回路５４に接続されている。そして、この駆動回路５４により、液晶ライトバルブの各スイッチング素子に対して走査信号および画像信号が供給されるようになっている。
【００２７】
液晶ライトバルブ３６の出射面には、偏光板（不図示）が配置されている。これにより、液晶ライトバルブ３６から出射される画像光は、直線偏光によって構成される。ところで、上述したコレステリック液晶層は、入射光が所定の円偏光（右回り円偏光または左回り円偏光のいずれか一方）の場合に、入射光の全部を反射する性質を有する。ところが、直線偏光には右回り成分と左回り成分とが半分ずつ含まれているため、直線偏光の入射光は半分しか反射されないことになる。そこで、液晶ライトバルブ３６の出射面側に、位相差板３９を配置することが望ましい。特に、位相差板３９としてλ／４板を採用すれば、直線偏光を所定の円偏光に変換することができる。なお、プロジェクタ３０に位相差板３９を配置する代わりに、スクリーン１０の表面に位相差板を配置してもよい。
【００２８】
そして、液晶ライトバルブ３６の出射面側には、投射レンズ３８が配置されている。これにより、画像光をスクリーンに向かって拡大投射しうるようになっている。そして、上記各部材が筐体内部に収納されて、プロジェクタ３０が構成されている。
【００２９】
図３は、プロジェクタシステムのブロック図である。本実施形態のプロジェクタシステムでは、異なる色光の画像光をプロジェクタ３０から時間順次に投射し、投射された各色光をスクリーン１０により時間順次に反射する。そのため、プロジェクタ３０およびスクリーンを同期して駆動させる必要がある。そこで、タイミングコントローラ５０が設けられている。このタイミングコントローラ５０は、ＬＥＤ光源の駆動電源５２、液晶ライトバルブの駆動回路５４およびスクリーンの駆動電源５６に接続されている。そして、タイミングコントローラ５０は、これらの各機器に対して、所定のタイミングで駆動信号を出力するように構成されている。
【００３０】
一方、液晶ライトバルブの駆動回路５４に対して画像信号を出力するフィールドメモリ５８が設けられている。このフィールドメモリ５８にはメモリコントローラ５９が接続され、メモリコントローラ５９から画像信号の出力命令が発信されるようになっている。そして、このメモリコントローラ５９には、上述したタイミングコントローラ５０が接続されている。そして、タイミングコントローラ５０は、メモリコントローラ５９に対して、所定のタイミングで駆動信号を出力するように構成されている。
【００３１】
［プロジェクタシステムの画像表示方法］
次に、上記のように構成されたプロジェクタシステムの画像表示方法につき、図１、図３および図４を用いて説明する。まず図３に示すように、タイミングコントローラ５０に対して同期信号を入力する。この同期信号はパルス信号等からなり、そのパルス間隔がプロジェクタシステムの動作単位時間となる。同期信号として、例えば１８０Ｈｚのパルス信号を入力する。
【００３２】
図４は、タイミングコントローラにおける駆動信号出力のタイミングチャートである。タイミングコントローラ５０では、入力された同期信号によって規定される動作単位時間のうち、３単位を１フレームに設定する。
その１フレーム中に、タイミングコントローラ５０は、ＬＥＤ光源の駆動電源５２に対して、駆動信号Ｒ１，Ｇ１，Ｂ１を時間順次に出力する。なお、駆動信号Ｒ１は赤色光のＬＥＤ光源３２Ｒに対する電源の駆動信号であり、駆動信号Ｇ１，Ｂ１も同様である。この駆動信号に従って、駆動電源５２から各ＬＥＤ光源に電流が供給され、各ＬＥＤ光源３２Ｒ，３２Ｇ，３２Ｂが時間順次に発光する。
【００３３】
また１フレーム中に、タイミングコントローラ５０は、液晶ライトバルブの駆動回路５４に対して、駆動信号Ｒ２，Ｇ２，Ｂ２を時間順次に出力する。なお、駆動信号Ｒ２は赤色光を変調するためのスイッチング素子の駆動信号であり、駆動信号Ｇ２，Ｂ２も同様である。この駆動信号に従って、駆動回路５４から液晶ライトバルブ３６の各スイッチング素子に走査信号が供給される。
また１フレーム中に、タイミングコントローラ５０は、メモリコントローラ５９に対して、駆動信号Ｒ３，Ｇ３，Ｂ３を時間順次に出力する。なお、駆動信号Ｒ３は赤色光用画像信号の出力命令の駆動信号であり、駆動信号Ｇ３，Ｂ３も同様である。この駆動信号に従って、メモリコントローラ５９からフィールドメモリ５８に画像信号の出力命令が発信され、フィールドメモリ５８から画像信号が出力される。
この画像信号は、液晶ライトバルブの駆動回路５４に入力され、駆動回路５４から液晶ライトバルブ３６の各スイッチング素子に供給される。以上により、各ＬＥＤ光源から出射された各色光が、液晶ライトバルブ３６により時間順次に変調される。
【００３４】
このように、タイミングコントローラ５０は、ＬＥＤ光源の駆動電源５２、液晶ライトバルブの駆動回路５４およびメモリコントローラ５９に対して、同時に駆動信号を出力するので、ＬＥＤ光源および液晶ライトバルブを同期して駆動させることができる。これにより、異なる色光の画像光がプロジェクタ３０から時間順次に出射されることになる。
【００３５】
また１フレーム中に、タイミングコントローラ５０は、スクリーン１０の駆動電源５６に対して、駆動信号Ｒ４，Ｇ４，Ｂ４を時間順次に出力する。なお、駆動信号Ｒ４は赤色光を反射可能な液晶パネル１０Ｒの電源の駆動信号であり、駆動信号Ｇ４，Ｂ４も同様である。なお液晶パネル１０Ｒは、コレステリック液晶層に電界を印加しない状態（ＯＦＦ状態）で反射モードとなり、電界を印加した状態（ＯＮ状態）で透過モードとなる。そこで駆動電源５６は、液晶パネルに対して常に電界を印加する一方で、駆動信号の入力により電界印加を中止するように設定する。なお、タイミングコントローラ５０から、駆動信号Ｒ４，Ｇ４，Ｂ４を時間順次に出力する代わりに、駆動信号Ｇ４＋Ｂ４，Ｒ４＋Ｂ４，Ｒ４＋Ｇ４を時間順次に出力してもよい。この場合には、駆動電源５６は駆動信号通りに液晶パネルに対して電界を印加することができる。
【００３６】
図５は、スクリーンによる赤色画像光の反射作用の説明図である。タイミングコントローラから駆動信号Ｒ４が出力されると、液晶パネル１０Ｒは反射モードになり、他の液晶パネル１０Ｇ，１０Ｂは透過モードになる。すると、プロジェクタから投射された赤色画像光は、液晶パネル１０Ｇ，１０Ｂを透過して、液晶パネル１０Ｒにより反射される。反射された赤色画像光は、液晶パネル１０Ｇ，１０Ｂを再透過して、スクリーン１０から出射される。これにより、スクリーン１０の表面に赤色画像光が表示される。同様にして、プロジェクタから時間順次に出射された各色光は、スクリーン１０により時間順次に反射される。そして、１フレームごとに各色光が加法混色されて、スクリーン１０の表面にカラー画像が表示される。
【００３７】
ところで、室内照明等の外光が存在する明るい環境下でプロジェクタシステムを使用する場合には、その外光がスクリーン１０の表面で反射されて、表示画像のコントラストを低下させるおそれがある。しかしながら図５の場合には、外光に含まれる緑色光および青色光は、透過モードとなっている液晶パネル１０Ｇ，１０Ｂを透過し、さらに赤色光のみを反射する液晶パネル１０Ｒをも透過して、光吸収層１０ａに吸収される。また、コレステリック液晶層は右回り円偏光（または左回り円偏光）のみを反射するので、外光に含まれる赤色光のうち右回り円偏光（または左回り円偏光）以外の光は、液晶パネル１０Ｒを透過して光吸収層１０ａに吸収される。なお、他の液晶パネルが反射モードとなっている場合も同様である。このように、本実施形態のスクリーンは、各色画像光を時間順次に反射するので、外光に含まれる色光のうち反射される色光を制限することができる。したがって、外光の影響が低減され、明るい環境でも高コントラストな画像表示を行うことができる。
【００３８】
［第２実施形態］
次に、本発明の第２実施形態につき、図６を用いて説明する。第２実施形態では、スクリーンを構成する複数の液晶パネルが、電界を印加しない状態で透過モードとなり、電界を印加した状態で反射モードとなる点で、第１実施形態と異なっている。なお、第１実施形態と同様の構成となる部分については、その詳細な説明を省略する。
【００３９】
図６は、第２実施形態に係るスクリーンの液晶パネルの側面断面図である。なお図６では、青色光を反射可能な液晶パネル１１０Ｂを例にして説明する。液晶パネル１１０Ｂでは、裏基板１１２の内面にコレステリック液晶層１１８Ｂが設けられている。このコレステリック液晶層１１８Ｂは、らせん配向状態が固定化されている。また、そのらせんピッチは４５０ｎｍ程度に設定されている。
このコレステリック液晶層１１８Ｂの形成には、紫外線照射等により重合を開始する光重合性を備え、重合後のポリマーが液晶性を示す液晶性モノマーを利用することが可能である。この液晶性モノマーを裏基板１１２の内面に均一に塗布した後、所定光量の紫外線を照射すれば、選択反射波長が約４５０ｎｍのコレステリック液晶層１１８Ｂを得ることができる。なお、紫外線光量を調整することにより、緑色光や赤色光を反射可能なコレステリック液晶層を形成することも可能である。
【００４０】
また、コレステリック液晶層１１８Ｂの内面には透明電極１１４が形成され、透明電極１１４の内面には配向膜１１６が形成されている。一方、表基板１１１の内面にも透明電極１１３が形成され、透明電極１１３の内面には配向膜１１５が形成されている。そして、一対の配向膜１１５，１１６により、ＥＣＢ（Electrically Controlled Birefringence）液晶等からなる液晶層（位相変調用液晶層）１２０が挟持されている。
【００４１】
以上のように構成された液晶パネル１１０Ｂに対して、右回り円偏光で構成される青色光が入射した場合の作用について説明する。まず、透明電極１１３，１１４を介してＥＣＢ液晶層１２０に電界を印加した状態（ＯＮ状態）では、ＥＣＢ液晶層１２０の液晶分子が電界に沿って垂直に配向する。これにより、液晶パネル１１０Ｂの表面から入射した青色光は、右回り円偏光を保持したままＥＣＢ液晶層１２０を透過する。そして、コレステリック液晶層１１８Ｂで反射され、液晶パネル１１０Ｂの表面から出射される。一方、ＥＣＢ液晶層１２０に電界を印加しない状態（ＯＦＦ状態）では、ＥＣＢ液晶層１２０の液晶分子が配向膜１１５，１１６と平行に配向している。そのため、液晶パネル１１０Ｂの表面から入射した青色光は、ＥＣＢ液晶層１２０を透過する過程で左回り円偏光に変換される。そして、コレステリック液晶層１１８Ｂをも透過して、液晶パネル１１０Ｂの裏面から出射される。このように、第２実施形態の液晶パネルでは、電界を印加しない状態で透過モードとなり、電界を印加した状態で反射モードとなる。
【００４２】
第２実施形態の液晶パネルを採用する場合、図１に示すタイミングコントローラ５０は、スクリーンの駆動電源５６に対して、駆動信号Ｒ４，Ｇ４，Ｂ４を時間順次に出力すればよい。またスクリーンの駆動電源５６は、駆動信号通りに液晶パネルに対して電界を印加すればよい。このように、第２実施形態ではスクリーンの制御システムを簡略化することができる。
また、第１実施形態の液晶パネルは、電界を印加しない状態で反射モードとなり、電界を印加した状態で透過モードとなるため、反射モードとなる１個の液晶パネルを除いて、透過モードとなる２個の液晶パネルに対して、常に電界を印加した状態で使用する必要がある。これに対して、第２実施形態の液晶パネルは、電界を印加しない状態で透過モードとなり、電界を印加した状態で反射モードとなる。この場合、反射モードとなる１個の液晶パネルのみに電界を印加して使用することが可能である。したがって、電力消費量を低減することが可能になり、またスクリーンの耐久性を向上させることが可能になる。
【００４３】
なお、本発明の技術範囲は、上述した各実施形態に限定されるものではなく、本発明の趣旨を逸脱しない範囲において、上述した各実施形態に種々の変更を加えたものを含む。すなわち、各実施形態で挙げた具体的な材料や構成などはほんの一例に過ぎず、適宜変更が可能である。
【図面の簡単な説明】
【００４４】
【図１】第１実施形態のプロジェクタシステムの概略構成図である。
【図２】コレステリック液晶パネルの側面断面図である。
【図３】プロジェクタシステムのブロック図である。
【図４】タイミングコントローラにおける駆動信号出力のタイミングチャートである。
【図５】スクリーンによる赤色画像光の反射作用の説明図である。
【図６】第２実施形態に係るスクリーンの液晶パネルの側面断面図である。
【符号の説明】
【００４５】
１プロジェクタシステム  １０スクリーン  １０ａ光吸収層  １０Ｂ，１０Ｇ，１０Ｒコレステリック液晶パネル  ３０プロジェクタ  ５０タイミングコントローラ
【図１】
0004654573.tif 000002
【図２】
0004654573.tif 000003
【図３】
0004654573.tif 000004
【図４】
0004654573.tif 000005
【図５】
0004654573.tif 000006
【図６】
0004654573.tif 000007